(57)【特許請求の範囲】
【請求項１】
粘性を有する導電性ゲルと、
前記導電性ゲルを介して被験者から生体信号を取得する電極と、
前記電極と、前記電極が取得した前記生体信号を外部装置に供給する接続部材と、が配置される底面と、
前記底面から前記被験者との略接触方向に環状に延伸する環状壁と、
前記環状壁の内部に位置する前記導電性ゲルの保持空間に設けられ、前記底面から前記被験者との略接触方向へ延伸する複数の棘部材と、
を備え、
前記複数の棘部材は、前記導電性ゲルを挟み込んで保持し、
前記環状壁、前記複数の棘部材、及び前記底面は、非導電性部材から構成されている、脳波電極。
【請求項２】
前記環状壁は、前記被験者との略接触方向から前記底面に向かって延伸するスリットを有する、ことを特徴とする請求項１に記載の脳波電極。
【請求項３】
前記複数の棘部材の高さは、前記環状壁の高さよりも大きい、ことを特徴とする請求項１または請求項２に記載の脳波電極。
【請求項４】
前記環状壁は、押圧によりたわむ形状を有する、ことを特徴とする請求項１〜請求項３のいずれか１項に記載の脳波電極。
【請求項５】
前記環状壁は折り畳み可能な階段形状である、ことを特徴とする請求項１に記載の脳波電極。
【請求項６】
前記環状壁は外側に広がる形状を有する、ことを特徴とする請求項１に記載の脳波電極。
【請求項７】
前記環状壁または前記底面は、突起を有する、ことを特徴とする請求項１〜６のいずれか１項に記載の脳波電極。
【請求項８】
前記環状壁は、スポンジにより構成されている、ことを特徴とする請求項１に記載の脳波電極。
【請求項９】
前記複数の棘部材は、前記被験者との略接触方向に向かうにつれて先細りとなる形状を有する、ことを特徴とする請求項１〜８のいずれか１項に記載の脳波電極。
【請求項１０】
粘性を有する導電性ゲルを介して被験者から生体信号を取得する電極と、
前記電極と、前記電極が取得した前記生体信号を外部装置に供給する接続部材と、が配置される底面と、
前記底面から前記被験者との略接触方向に環状に延伸する環状壁と、
前記環状壁の内部に位置する前記導電性ゲルの保持空間に設けられ、前記底面から前記被験者との接触方向へ延伸する複数の棘部材と、
を備え、
前記複数の棘部材は、前記導電性ゲルを挟み込んで保持し、
前記環状壁、前記複数の棘部材、及び前記底面は、非導電性部材から構成されている、脳波電極。
【発明の詳細な説明】
【技術分野】
【０００１】
本発明は脳波電極に関する。
【背景技術】
【０００２】
脳波は、人間の脳活動により生じる電気信号である。脳波の測定装置は、被験者の頭表に装着された脳波電極によって脳波を測定する。測定される脳波は、頭表の位置によって異なる。そのため医師等は、頭表の既定位置に脳波電極を装着して脳波測定を行う。すなわち脳波測定では、多数の脳波電極を頭表の決められた位置に装着する必要がある。電極の配置例として国際１０／２０法が挙げられる。
【０００３】
ところで脳波は、近年では脳神経分野だけでなく、救急医療分野でも診断に応用されることが期待されている。また脳波計測を長時間連続して行う必要性が高まっている。このような要請から新たな脳波電極が提案されている。
【０００４】
特許文献１には、素早く取り付けることが可能な脳波電極（ＱＵＩＣＫ−ＰＬＡＣＥＭＥＮＴ  ＥＬＥＣＴＲＯＥＮＣＥＰＨＡＬＯＧＲＡＭ）が開示されている。当該脳波電極は、髪をつかむ（ＧＲＩＰ）複数の歯（ＴＩＮＥ  ＳＥＣＴＩＯＮ７４）を有し、当該複数の歯に囲まれた空間内にゲルを染み込ませたスポンジ（ＳＰＯＮＧＥ２０）を配置している。当該スポンジが被験者の頭皮と電極金属の間に介在することにより、被験者の頭皮と電極金属との間の導電性を確保している。このように複数の歯を設けた構成により、測定時のゲルの減少の回避を実現している（特許文献１Ｆｉｇ．１４、段落２第４６行目〜６０行目）。
【先行技術文献】
【特許文献】
【０００５】
【特許文献１】米国特許第６２０１９８２号明細書
【発明の概要】
【発明が解決しようとする課題】
【０００６】
しかしながら特許文献１の脳波電極は、ゲルをスポンジに染み込ませているため、ゲルの含有量に限界がある。そのため特許文献１にかかる脳波電極では、ゲルが乾いてしまい、長時間の安定した脳波測定が困難である。よって、スポンジを用いるのではなく、ゲル自体を長時間にわたって被験者の頭皮と電極金属の間に保持できる脳波電極の構造が必要となっている。
【０００７】
本発明は、上記の事情を鑑みてなされたものであり、ゲル自体を長時間にわたって所定位置に保持できる脳波電極を提供することを主たる目的とする。
【課題を解決するための手段】
【０００８】
本発明にかかる脳波電極の一態様は、
導電性ゲルと、
前記導電性ゲルを介して被験者から取得した生体信号を測定装置に供給する接続部材を有する底面と、
前記底面から前記被験者との略接触方向に環状に延伸する環状壁と、
前記環状壁の内側に位置する前記導電性ゲルの保持空間に設けられ、前記底面部から前記被験者との接触方向へ延伸する複数の棘部材と、
を備える、
ものである。
【０００９】
また本発明にかかる脳波電極の一態様は、
導電性ゲルを介して被験者から取得した生体信号を測定装置に供給する接続部材を有する底面と、
前記底面から前記被験者との略接触方向に環状に延伸する環状壁と、
前記環状壁の内側に位置する前記導電性ゲルの保持空間に設けられ、前記底面部から前記被験者との接触方向へ延伸する複数の棘部材と、
を備える、
ものであってもよい。
【００１０】
上述の構成では、環状壁に覆われた内部空間に導電性ゲルを配置している。これにより導電性ゲルが脳波電極の外部に漏れ出てしまうことを防止できる。さらに棘部材が導電性ゲルをひっかけるようにして固定する。これにより脳波電極の着脱等の操作時に導電性ゲルが落下してしまうことを防止することができる。また環状壁は、内包する導電性ゲルが外気と接触する面積を低減させ、導電性ゲルの乾燥を防ぐことができる。これ等の作用により脳波電極は、導電性ゲルを安定して保持し続けることができる。
【発明の効果】
【００１１】
本発明は、ゲル自体を長時間にわたって所定位置に保持できる脳波電極を提供することができる。
【図面の簡単な説明】
【００１２】
【図１】実施の形態１にかかる脳波電極１の外観を示す斜視図である。
【図２】実施の形態１にかかる脳波電極１の底面図である。
【図３】実施の形態１にかかる脳波電極１の断面図である。
【図４】実施の形態１にかかる脳波電極１の底面図である。
【図５】実施の形態１にかかる脳波電極１の断面図である。
【図６】実施の形態１にかかる脳波電極１の外観を示す斜視図である。
【図７】実施の形態２にかかる脳波電極１の外観を示す斜視図である。
【図８】実施の形態２にかかる脳波電極１の断面図である。
【図９】実施の形態３にかかる脳波電極１の外観を示す斜視図である。
【図１０】実施の形態３にかかる脳波電極１の分解斜視図である。
【図１１】実施の形態１（または実施の形態２、３）にかかる脳波電極１を配置するヘッドバンドの一例を示す図である。
【図１２】実施の形態１にかかる脳波電極１の配置例を示す図である。
【発明を実施するための形態】
【００１３】
＜実施の形態１＞
以下、図面を参照して本発明の実施の形態について説明する。なお本明細書における図面は視認しやすくするため、適宜図示を簡略化したり、一部の部材の縮尺や位置を実際の仕様とは異なる場合がある。
【００１４】
図１は、本実施の形態にかかる脳波電極１の斜視図である。図１に図示した＋Ｙ方向は、被験者の頭皮との略接触方向である。
【００１５】
脳波電極１は、−Ｙ方向に凸となる接続部材８と、電極金属２及び接続部材８が配置される底面３と、底面３から＋Ｙ方向（被験者との略接触方向）に延伸する複数の棘部材４と、底面３から環状に設けられた環状壁５と、を有する。
【００１６】
環状壁５は、図１に示すような円筒形上のみならず角状形状であってもよい。図示しないものの、環状壁５の内部には、電極金属２と被験者の頭部との間の導電性を確保する導電性ゲル７（後述）が充填されている。そのため環状壁５は、導電性ゲル７が脳波電極１から外部に流出することを回避する壁のように作用する。
【００１７】
棘部材４の延伸方向は、概ね＋Ｙ方向（被験者との略接触方向）に向かうものであればよく、必ずしも被験者の頭皮と略垂直に接するように延伸するものでなくてもよい。同様に環状壁５の延伸方向は、概ね＋Ｙ方向（被験者との略接触方向）に向かうものであればよい。
【００１８】
環状壁５には、＋Ｙ方向（被験者との略接触方向）から底面３側に延伸する複数のスリット６が設けられている。脳波電極１は、＋Ｙ方向に向かって押し付けられるようにして頭皮に装着される。ここでスリット６が設けられているため、環状壁５は外側にたわみやすくなる。このように環状壁５がたわむことにより、電極金属２と被験者の頭部との物理的な距離が近くなるため、電極金属２は正確に被験者の生体信号を取得できる。また、このたわみが生じることにより、環状壁５が被験者の頭部に与える圧力を緩和できる。
【００１９】
脳波電極１は、幅（Ｘ軸方向の長さ）が２ｃｍ程度、高さ（Ｙ軸方向の長さ）が１．５ｃｍ程度の大きさである。なおこのサイズは、あくまでも目安であり、これ以上（またはこれ以下）の大きさであっても構わない。
【００２０】
図２は、脳波電極１を＋Ｙ方向から−Ｙ方向に見た場合の模式図である。本例では棘部材４が６つ設けられている。棘部材４の間に挟み込まれるようにして導電性ゲル７が配置される。すなわち導電性ゲル７は、被験者の頭皮と電極金属２との間に配置されると共に、棘部材４によって固定される。
【００２１】
図３を参照して、脳波電極１のより詳細な構成を説明する。図３は、脳波電極１の断面図である。図示するように電極金属２は、底面３の中央付近に配置されている。電極金属２は、外部装置（例えば脳波計）と接続する接続部材８が−Ｙ方向に凸となっている。この接続部材８に対し、脳波計のケーブルの先端に取り付けられたワニ口クリップ等を接続する。すなわち接続部材８は、外部装置（例えば脳波計）に対して被験者の生体信号を供給するものである。電極金属２は、被験者の生体信号（脳波信号）を取得する電極であり、例えば銀塩化銀電極であればよい。図３の例では、底面３に貫通穴（図示せず）があり、当該貫通穴に電極金属２の凸部を貫通させる。この貫通させた凸部を接続部材８の凹部に嵌め合わせることにより、底面３と接続部材８と電極金属２を接続する（換言すると底面３に接続部材８と電極金属２を配置する。）。
【００２２】
棘部材４は、底面３から被験者との接触方向側（＋Ｙ方向）に向かって延伸している。ここで棘部材４の被験者との接触部分は、被験者の頭部に痛みを与えないように丸みを帯びていることが好ましい。また棘部材４は、被験者の頭部との接触時にたわむ（曲がる）程度の硬度であり、かつ被験者の髪の毛をかき分ける程度の硬度である。環状壁５も同様に被験者の頭部との接触時にたわむ（曲がる）程度の硬度である。
【００２３】
ここで棘部材４の高さ（−Ｙ方向から＋Ｙ方向の幅）は、環状壁５の高さ（−Ｙ方向から＋Ｙ方向の幅）よりも大きいことが好ましい。これにより棘部材４の先端が先に被験者の頭部の髪の毛をかき分けた後に環状壁５や導電性ゲル７が被験者の頭部に接触する。髪の毛をかき分けることにより、脳波電極１は、被験者の頭部に容易に密着することができる。
【００２４】
また棘部材４は、図３に示すように、−Ｙ方向から＋Ｙ方向に行くにつれて直径が細くなる（先細りになる）構成であることが好ましい。すなわち棘部材４は、被験者との略接触方向（＋Ｙ方向）に向かうにつれて先細りとなる形状を有する。これにより頭皮にかかる圧力を分散し、被験者の負担を小さくすることができる。
【００２５】
また環状壁５は、図示するように外側に広がる形状であることが好ましい。すなわち環状壁５は、＋Ｙ方向から多少＋／−Ｘ方向にずれて延伸していることが好ましい。これにより脳波電極１を被験者頭部に接触させた場合に当該部分がたわみやすくなる。このたわみにより、環状壁５が被験者の頭部に接触することにより生じる痛みを小さくすることができる。なお底面３、棘部材４、及び環状壁５の素材については後述する。
【００２６】
導電性ゲル７は、環状壁５及び棘部材４に囲まれた保持空間に配置される。導電性ゲル７は、電極金属２と被験者頭部との間の導電性を確保するための素材であり、高い導電性を持つことが好ましい。導電性ゲル７は、棘部材４に囲まれた保持空間に配置されているため、被験者の頭部側（＋Ｙ方向）に落下しない。換言すると棘部材４は、導電性ゲル７をひっかけるようにして保持する作用を奏する。
【００２７】
また導電性ゲル７は、環状壁５に囲まれた内部空間に充満されるように配置されてもよい。この場合であっても棘部材４は、導電性ゲル７をひっかけるようにして固定する（落下を防止する）。またこの場合であっても環状壁５は、導電性ゲル７が外部に流出することを防止する。
【００２８】
導電性ゲル７は、例えば導電性の高い液体（食塩水等）に対して増粘剤を混合することにより構成すればよい。増粘剤として、例えばアルギン酸を用いればよい。この増粘剤の混合割合を調整することにより、導電性ゲル７の粘性が担保される。これにより、脳波電極１の取り付け時であっても、導電性ゲル７が被験者の頭部に落下することを回避することができる。
【００２９】
この脳波電極１は、図示しない脳波計と接続する。例えば、電極金属２の凸部分がワニ口クリップを先端に持つコードと接続し、当該コードが脳波計と接続する。脳波電極１は、国際１０／２０法により定められた頭部位置にそれぞれ１つずつ配置される。これにより脳波計は、被験者の脳波を測定する。
【００３０】
なお説明の明確化のため図３において底面３、棘部材４、及び環状壁５を区別して記載したが実際にはこれに限られない。すなわち底面３、棘部材４、及び環状壁５は一体化されて形成されてもよい。つまり底面３、棘部材４、及び環状壁５は、同一素材により一体となって形成されたものであっても良い。
【００３１】
また図２の例では、６つの棘部材４が底面３に設けられているものとして説明したが必ずしもこれに限られない。図４は、脳波電極１の別態様を示す図である。図４は、図２と同様に脳波電極１を＋Ｙ方向から−Ｙ方向に見た場合の模式図である。本態様では、図２と比べて直径の小さい棘部材４が数多く配置されている。当該構成であっても、棘部材４により導電性ゲル７を保持することができる。換言すると導電性ゲル７が棘部材４に引っかかるため、導電性ゲル７が落下することを回避できる。
【００３２】
ここで再び図１を参照して底面３、棘部材４、及び環状壁５の素材構成について言及する。第１の構成方法として底面３、棘部材４、及び環状壁５を非導電性部材により構成することが考えられる。ここで非導電性部材とは、例えばエラストマー、詳細にはポリプロピレン等であればよい。非導電性部材によって構成することにより、被験者の生体信号が導電性ゲル７を介してのみ電極金属２に伝わる。これにより電極金属２は、ノイズの影響を軽減した生体信号の取得を行うことができる。
【００３３】
また第２の構成方法として底面３、棘部材４、及び環状壁５を導電性部材することが考えられる。例えば底面３、棘部材４、及び環状壁５は、導電性カーボン樹脂であればよい。これにより、導電性ゲル７が乾燥した場合や少なくなってしまった場合であっても、電極金属２は被験者の生体信号を取得できる。
【００３４】
更に底面３、棘部材４、及び環状壁５は、導電性カーボン樹脂と、銀又は銀塩化銀粉と、を混合して生成した素材であればよい。これにより、底面３、棘部材４、及び環状壁５の導電率を更に高めることができる。
【００３５】
また図３の構成では、電極金属２が底面３に配置される構成を説明したが、必ずしもこれに限られない。例えば底面３、棘部材４、及び環状壁５がそれぞれ導電性を有する素材である構成が考えられる。当該構成における断面図（図３相当）を図５に示す。
【００３６】
図５に示す構成において脳波電極１は、電極金属２を有さない。そして本構成では底面３と接続部材８が一体化された構成である。底面３は、図３に示す構成と同様に−Ｙ方向に凸となる。そして底面３、棘部材４、及び環状壁５は導電性部材から構成される。すなわち底面３、棘部材４、及び環状壁５は、被験者の生体信号を脳波計（外部装置）に伝達する電極としての機能をも実現する。ここで導電性部材は、電極として作用するように導電性の高い構成（例えば上述の導電性カーボン樹脂に銀や銀塩化銀粉が混合された素材）により構成することが好ましい。
【００３７】
なお、図６に示すように環状壁５に突起９が設けられていてもよい。図６の例では、環状壁５の対向位置に２つの突起９が設けられている。操作者は、この突起９を２つの指で挟むようにして把持する。すなわち操作者が突起９を把持し、環状壁５の平坦部分（つまり導電性ゲル７の格納部分）を直接押圧しない。これにより操作者の押圧によって導電性ゲル７が漏れ出てしまうことを回避することができる。なお突起９は環状壁５に設けられている必要はなく、底面３に設けられていてもよい。また突起９の設置数は、特に限られないものの、２つあることにより２本の指で挟みこむように把持することができる。
【００３８】
続いて本実施の形態にかかる脳波電極１の効果について説明する。上述の構成では、環状壁５に覆われた内部空間に導電性ゲル７を配置している。これにより導電性ゲル７が脳波電極１の外部に漏れ出てしまうことを防止できる。さらに棘部材４が導電性ゲル７をひっかけるようにして固定する。これにより脳波電極１の着脱等の操作時に導電性ゲル７が落下してしまうことを防止することができる。すなわち上述の脳波電極１は、所定位置に導電性ゲル７を安定して保持し続けることができる。
【００３９】
＜実施の形態２＞
実施の形態２にかかる脳波電極１は、環状壁５が押圧に応じて折り畳み可能に構成されていることを特徴とする。本実施の形態にかかる脳波電極１について、実施の形態１と異なる点を以下に説明する。
【００４０】
図７（Ａ）及び図７（Ｂ）は、本実施の形態にかかる脳波電極１の外観を示す斜視図である。図６（Ａ）に示すように、環状壁５は階段状（複数の段を持つような形状）となっている。操作者は、被験者の頭部に脳波電極１を取り付ける際に、−Ｙ方向から＋Ｙ方向に押圧する（押す）。環状壁５を構成する段の一部は、この押圧により折り畳まれるように変形する。変形後の形状を図７（Ｂ）に示す。
【００４１】
図７（Ｂ）の例では、環状壁５の最上段に位置する箇所がその下の段に収容されるようにして折り畳まれている。このように折り畳まれることにより、電極金属２（図７（Ｂ）では明示せず）や接続部材８が被験者の頭部に近づくように移動する。
【００４２】
続いて図８を参照して脳波電極１の断面構造例について説明する。図示するように環状壁５が外側に広がるようにして階段形状となっている。この環状壁５において、角度が変わっている点付近が折り畳みの際に変形する箇所となる。その他の構成は、図３と概ね同様である。
【００４３】
なお図８の例では、棘部材４の高さ（Ｙ軸方向の長さ）が環状壁５の高さ（Ｙ軸方向の長さ）よりも短いものとして図示したが、これは環状壁５が折り畳まれることを考慮したものである。棘部材４の高さが環状壁５の高さよりも長いものとして構成することも勿論可能である。
【００４４】
また図８に示す導電性ゲル７の充填量は、あくまでも一例であり、環状壁５内の空間に隙間なく配置されてもよい。更に図７（Ａ）及び図７（Ｂ）の構成において、図１に示すスリット６が設けられてもよい。
【００４５】
なお本実施の形態においても底面３、棘部材４、及び環状壁５を非導電性部材により構成することが可能である。また底面３、棘部材４、及び環状壁５を導電性部材により構成することが可能もある。更に図５に示す脳波電極１と同様に電極金属２を明示的に設けない脳波電極１において、環状壁５を階段状の形状にすることも可能である。
【００４６】
続いて本実施の形態にかかる脳波電極１の効果について説明する。本実施の形態にかかる脳波電極１は、上述のように折り畳み可能は環状壁５を有する。脳波電極１の使用時には、環状壁５の一部を折り畳んで使用する。折り畳みにより、接続部材８や電極金属２が被験者の頭部に近づくように移動する。これにより、被験者の生体信号を確実に取得することができる。
【００４７】
また本実施の形態においても環状壁５と複数の棘部材４を備える構成である。当該構成により、導電性ゲル７を長時間安定して保持し続けることができる。
【００４８】
以上、本発明者によってなされた発明を実施の形態に基づき具体的に説明したが、本発明は既に述べた実施の形態に限定されるものではなく、その要旨を逸脱しない範囲において種々の変更が可能であることはいうまでもない。
【００４９】
図３や図８の例では、導電性ゲル７が環状壁５内部に配置されている例を示した。この導電性ゲル７は、脳波電極１の製造時に乾燥を防ぐように包装された状態で配置されていてもよい。また導電性ゲル７は、脳波電極１とは別に管理され、脳波電極１の使用前に医師等が充填するようにしてもよい。
【００５０】
＜実施の形態３＞
実施の形態３にかかる脳波電極１は、環状壁５がスポンジにより構成されていることを特徴とする。本実施の形態にかかる脳波電極１について、実施の形態１と異なる点を以下に説明する。
【００５１】
図９は、本実施の形態にかかる脳波電極１の外観を示す斜視図である。環状壁５は、例えば厚み（−Ｘ方向から＋Ｘ方向の厚み）が５ｍｍ程度であり、高さ（−Ｙ方向から＋Ｙ方向の高さ）が１０ｍｍ程度の中空円柱のスポンジにより構成される。また本実施の形態では、６つの棘部材４が設けられている。本実施の形態において棘部材４は、底面３から＋Ｙ方向に延伸するとともに、外側（環状壁５に近づく方向）に延伸する。すなわち棘部材４は、＋Ｙ方向に向かうにつれて環状壁５と近づくように角度がつけられて延伸する。
【００５２】
棘部材４は、被験者の頭皮に接触しても痛みを与えないような柔らかい素材（例えばフィルム成形した素材や非導電性の弾性素材）であればよい。この柔らかい素材に対して、導電性部材をコーティングすればよい。例えば棘部材４は、弾性を有するポリエチレンテレフタラート（ＰＥＴ）に銀又は銀塩化銀粉をコーティングされた構成であればよい。なお銀又は銀塩化銀粉は、導電性素材の一例であり、この他の素材であってもよい。導電性ゲル７は図示しないものの、棘部材４と底面３に囲まれた空間に充填される。棘部材４の先端は、折り返しを有する構成である。この折り返し部分が環状壁５に引っかかる。これにより環状壁５が底面３と接するように固定される。
【００５３】
なお図９の構成では、底面３に丸みを帯びた突起９が２つ設けられている。この突起９は、操作者によって把持される。環状壁５を操作者が直接押圧することがなくなり、導電性ゲル７の流出を回避することができる。
【００５４】
次に本実施の形態にかかる脳波電極１の分解斜視図を図１０に示す。−Ｙ方向から順に接続部材８、底面３、環状壁５、棘部材４、電極金属２を並べる。本例では、一つの底面に複数の棘部材４が接続されている。接続部材８は、電極金属２をはめ込む嵌合部（凹部）を有する。電極金属２は、例えば銀塩化銀がコーティングされた素材により構成される。接続部材８は、導電性の部材（例えばカーボン）により構成される。また底面３及び棘部材４（と接続する底面）には、それぞれ貫通穴が設けられている。図１０に配置した状態で、電極金属２を接続部材８（を有する部材）に嵌め合わせることにより、各部材が接続した状態（図９の状態）となる。これにより被験者の頭部から接続部材８までの導電性が確保される。棘部材４の折り返し部分が環状壁５の一部をひっかけるようにして、環状壁５と底面３が接するように固定する。
【００５５】
棘部材４は、前述のように＋Ｙ方向（被験者との略接触方向）に延伸し、かつ延伸するにつれて環状壁５に近づくような（換言すると外側に広がるような）形状を有する。
【００５６】
脳波電極１は、＋Ｙ方向に向かって押されるようにして被験者の頭皮に接触する。この際にスポンジからなる環状壁５がつぶれるようにしてたわみ、かつ棘部材４は外側（環状壁５側）に広がるようにしてたわむ（換言するとつぶれる）。これにより、導電性ゲル７が被験者の頭部に密着すると共に、底面３に内蔵された電極金属２が頭皮に近づくように移動する。これにより、被験者の脳波を安定して取得することができる。
【００５７】
本実施の形態にかかる脳波電極１においても、環状壁５が導電性ゲル７の流出を防ぐとともに、棘部材４が導電性ゲル７を保持するようにして固定する。これにより導電性ゲル７を安定して保持し続けることができる。
【００５８】
また本実施の形態にかかる環状壁５はスポンジにより形成され、かつ棘部材４は導電性素材がコーティングされた構成である。これらの素材が被験者の頭部に接したとしても、被験者の頭部にかかる圧力は小さい。これにより、長時間の脳波測定を安定して行うことができる。
【００５９】
最後に本発明にかかる脳波電極１の頭皮への配置例を図１１及び図１２を参照して説明する。図１１は、脳波電極１の配置用のヘッドバンドの一例を示す概念図である。なお図１１はあくまでも一例であり、脳波電極１を固定するためのものであればどのようなヘッドバンド（脳波電極用装具）を用いてもよい。
【００６０】
ヘッドバンド２０は、複数の伸縮バンドが縫合されて形成された支持体２１と、複数の電極固定部２２を有する。電極固定部２２の各々は、国際１０／２０法により定められた各位置に設けられる。複数の電極固定部２２には、脳波電極の取り付け用の貫通穴が設けられている。
【００６１】
脳波電極１は、この電極固定部２２に対してそれぞれ取り付けられる。取り付け例を図１２に示す。電極固定部２２の貫通穴に対して脳波電極１の接続部材８を通すことにより、接続部材８を支持体２１の外部に露出させる。この接続部材８に対して脳波計のコードを接続（例えば脳波計コードの先端に取り付けられたワニ口クリップにより接続部材８を挟持する）ことにより、脳波電極１と脳波計を接続する。
【００６２】
なお図１２の例では、実施の形態１にかかる脳波電極１の装着例を示したが、実施の形態２や実施の形態３にかかる脳波電極についても同様に装着することができる。実施の形態２にかかる脳波電極を取り付ける場合、脳波電極１を取り付け後に電極固定部１２を押圧することにより、環状壁５の一部が折り畳まれる。
【符号の説明】
【００６３】
１  脳波電極
２  電極金属
３  底面
４  棘部材
５  環状壁
６  スリット
７  導電性ゲル
８  接続部材
９  突起
２０  ヘッドバンド
２１  支持体
２２  電極固定部
【図１】
0006449046.tif 000002
【図２】
0006449046.tif 000003
【図３】
0006449046.tif 000004
【図４】
0006449046.tif 000005
【図５】
0006449046.tif 000006
【図６】
0006449046.tif 000007
【図７】
0006449046.tif 000008
【図８】
0006449046.tif 000009
【図９】
0006449046.tif 000010
【図１０】
0006449046.tif 000011
【図１１】
0006449046.tif 000012
【図１２】
0006449046.tif 000013